(57)【要約】  【課題】  発汗作用や温熱効果に加えて、常温で薬効成分を霧状に供給可能とする超音波霧風呂装置を提供することである。【解決手段】  超音波霧化装置を用いて薬効成分を有する複数の液体を同時に霧化して浴槽４内に供給すると共に、前記霧供給装置の供給口８を入浴枠３の長さ方向の中間付近の下方に設けて、浴槽内の全体に亘って霧を貯留する構成の超音波霧風呂装置１とした。【選択図】    図１
2009050646.tif 000002
【特許請求の範囲】
【請求項１】
入浴枠と底部に位置する身体支持部を備えた浴槽と、該浴槽の上部開口部を閉止するように前記入浴枠に開閉自在に装着される開閉カバーと、霧生成装置とを備える霧風呂装置であって、
前記霧生成装置により生成した霧を、浴槽内に直接又は霧供給装置を介して浴槽内に設ける供給口から霧を供給すると共に、
前記霧生成装置を、供給される液体を超音波振動させて霧化する超音波霧化装置とし、霧化する液体を収納すると共にそれぞれに超音波振動子が配設された液体収納部を複数設けて、複数の液体を同時に霧化して浴槽内に供給可能とし、
前記浴槽内の全体に亘って霧状の液滴を貯留する構成としたことを特徴とする超音波霧風呂装置。
【請求項２】
前記浴槽を横長として、前記身体支持部の上に人が仰臥可能としたことを特徴とする請求項１に記載の超音波霧風呂装置。
【請求項３】
前記供給口を仰臥姿勢の人の腰部付近としたことを特徴とする請求項２に記載の超音波霧風呂装置。
【請求項４】
前記身体支持部を岩盤浴ベッドとしたことを特徴とする請求項１から３のいずれかに記載の超音波霧風呂装置。
【請求項５】
前記霧生成装置に酸素供給装置を接続したことを特徴とする請求項１から４のいずれかに記載の超音波霧風呂装置。
【請求項６】
前記開閉カバーを閉止して、仰臥姿勢の人の全身を前記浴槽内に収容することを特徴とする請求項１から５のいずれかに記載の超音波霧風呂装置。
【請求項７】
前記開閉カバーもしくは入浴枠の一部に頭部露出窓を設け、前記開閉カバーを閉止した際に、浴槽内に仰臥する人の頭部を外部に露出可能としたことを特徴とする請求項１から５のいずれかに記載の超音波霧風呂装置。
【発明の詳細な説明】
【技術分野】
【０００１】
本発明は、霧風呂装置に関し、特に粒子の細かい霧を発生する超音波霧化装置を用いた超音波霧風呂装置に関するものである。
【背景技術】
【０００２】
従来、一日の終わりに、汚れた身体を洗浄するための入浴や、健康維持のためのサウナや超音波風呂などが知られている。
【０００３】
サウナは、全身を温めて血行を促進したり発汗を促したりして、健康改善を行うものであり、超音波風呂は、浴槽内にジェットバルブ噴出部を設けて、人体の所定位置、例えば腰やふくらはぎや背中等に噴射してツボを刺激し、身体をマッサージするものである。
【０００４】
また、霧ノズルからスプレー方式にて霧に圧力を掛けて、顔面等に噴射する霧噴射装置が知られており、霧化器と噴霧ホルダーを備える浄化器を用いた霧による簡易身体浄化法が既に出願されている（例えば、特許文献１参照）。
【０００５】
また、超音波振動により霧化した液体をユーザーの顔面方向に向けて放出するミスト供給部を備えたサウナ空間を利用した人体有用物質の体内供給装置も既に出願されている（例えば、特許文献２参照）。
【特許文献１】特開２００４−１６０１３０号公報
【特許文献１】特開２００３−２９０３１２号公報
【発明の開示】
【発明が解決しようとする課題】
【０００６】
液体を霧化して身体に噴霧することで、身体の浄化や健康促進に利用することは従来から行われている。また、薬効成分を含有した液体を霧化して顔面に向けて噴出させることで、身体に有効な薬効成分を吸収することも行われている。
【０００７】
ただし、薬効成分を口や鼻から吸収するだけでは不十分であり、身体全体の表面から吸収することが好ましい。また、液体を細かく微粒子状の霧とすると、皮膚を刺激せずに薬効成分を皮膚の表面から効果的に吸収することができる。
【０００８】
そのためには、薬効成分を細かい霧状とし、この霧の中に全身を横臥させることが好ましい。また、身体の調子や具合に応じて必要な薬効成分を霧化して噴霧可能であることが好ましい。
【０００９】
さらに、薬効成分を吸収するだけでなく、発汗作用や遠赤外線による温熱効果などを相乗的に利用可能とする風呂装置であればさらに好ましい。
【００１０】
本発明の目的は、上記問題点を解消するために、発汗作用や温熱効果に加えて、常温で薬効成分を霧状に供給可能とする超音波霧風呂装置を提供することである。
【課題を解決するための手段】
【００１１】
上記の目的を達成するために請求項１に係る発明は、入浴枠と底部に位置する身体支持部を備えた浴槽と、該浴槽の上部開口部を閉止するように前記入浴枠に開閉自在に装着される開閉カバーと、霧生成装置とを備える霧風呂装置であって、前記霧生成装置により生成した霧を、浴槽内に直接又は霧供給装置を介して浴槽内に設ける供給口から霧を供給すると共に、前記霧生成装置を、供給される液体を超音波振動させて霧化する超音波霧化装置とし、霧化する液体を収納すると共にそれぞれに超音波振動子が配設された液体収納部を複数設けて、複数の液体を同時に霧化して浴槽内に供給可能とし、前記浴槽内の全体に亘って霧状の液滴を貯留する構成としたことを特徴としている。
【００１２】
上記の構成を有する請求項１に係る発明によれば、所定の液体を複数用意して同時に霧化し入浴枠内に充満させて、薬効成分を付与したい身体部分を霧の中に浸すことで、所定の薬効成分を吸収することができる。
【００１３】
請求項２に係る発明は、前記浴槽を横長として、前記身体支持部の上に人が仰臥可能としたことを特徴としている。
【００１４】
上記の構成を有する請求項２に係る発明によれば、人が仰臥して、全身を霧の中に浸すことができ、全身の体表面からおよび呼吸により薬効成分を吸収することができる。
【００１５】
請求項３に係る発明は、前記供給口を仰臥姿勢の人の腰部付近としたことを特徴としている。
【００１６】
上記の構成を有する請求項３に係る発明によれば、仰臥した人の体の中心部辺りから霧が充満していくので、短時間に全身を霧の中に浸すことができる。
【００１７】
請求項４に係る発明は、前記身体支持部を岩盤浴ベッドとしたことを特徴としている。
【００１８】
上記の構成を有する請求項４に係る発明によれば、岩盤浴ベッドが発揮する発汗作用や遠赤外線による温熱効果などを相乗的に利用することができる。
【００１９】
請求項５に係る発明は、前記霧生成装置に酸素供給装置を接続したことを特徴としている。
【００２０】
上記の構成を有する請求項５に係る発明によれば、高濃度の酸素を含有する霧を生成し、効果的な酸素浴が可能となる。
【００２１】
請求項６に係る発明は、前記開閉カバーを閉止して、仰臥姿勢の人の全身を前記浴槽内に収容することを特徴としている。
【００２２】
上記の構成を有する請求項６に係る発明によれば、全身を霧の中に完全に浸すことができ、薬効成分の皮膚からの吸収と呼吸での吸収との両方を効率よく可能とする超音波霧風呂装置となる。
【００２３】
請求項７に係る発明は、前記開閉カバーもしくは入浴枠の一部に頭部露出窓を設け、前記開閉カバーを閉止した際に、浴槽内に仰臥する人の頭部を外部に露出可能としたことを特徴としている。
【００２４】
上記の構成を有する請求項７に係る発明によれば、人の呼吸には影響を与えないので、長時間の皮膚からの吸収が可能となる。
【発明の効果】
【００２５】
上記したように本発明によれば、所定の薬効成分を有する複数の液体を同時に霧化して浴槽内の底部に積層させるように供給するので、霧が浴槽内に安定して貯留されることになり、人が浴槽内に仰臥することで、全身の体表面からの吸収と呼吸による吸収とを可能にする超音波霧風呂装置を得ることができる。
【発明を実施するための最良の形態】
【００２６】
以下、本発明に係る超音波霧風呂装置の実施の形態について図面を用いて詳細に説明する。
【００２７】
図１に本発明に係る超音波霧風呂装置１の概略側面図を示す。図２は、全身を浴槽内に収容する第一の例の超音波霧風呂装置の斜視図であり、図３は、首から上を浴槽の外に出す第二の例の超音波霧風呂装置の斜視図である。
【００２８】
図１に示す超音波霧風呂装置１は、入浴枠３と底部となる身体支持部２を備えた浴槽４と、該浴槽４の上部開口部を閉止するように前記入浴枠３に開閉自在に装着される開閉カバー５と、霧生成装置６と、前記霧生成装置により生成した霧を浴槽内に設ける供給口８から供給する霧供給装置７とを備えている。
【００２９】
前記霧生成装置６を浴槽４内に設置することも可能であって、この場合には前記供給口８を設ける必要はない。この場合であれば、霧生成装置６から直接霧を浴槽４内に供給することも、浴槽４内に設置する霧生成装置６から霧供給装置７を介して浴槽４内の所定位置に霧を供給することも可能である。
【００３０】
また、前記霧生成装置６は、複数の液体収容部６Ａ、６Ｂ、６Ｃを備えた構成とされており、複数の液体を同時に霧化して浴槽４内に供給することができる。そのために、水や各種の薬効成分を含有する複数の液体を供給可能であり、同時に複数の薬効成分を供給することもできる。この薬効成分を含有する液体の例としては、各種のビタミン液や、必須ミネラル液、健康茶などが挙げられる。
【００３１】
さらに、霧生成装置６として超音波霧化装置を用いている。超音波霧化装置は、収容する液体の底部に配設される超音波振動子により超音波振動を発生させて、液体を超音波振動して霧化するものである。この超音波霧化装置で霧化された液体は細かいミクロな霧となるので、全身に浸潤すると共に、皮膚に触れる時に刺激が小さく、皮膚からの吸収がよくなる。
【００３２】
そのために、所定の薬効を発揮するために、所定の薬効を有する複数の液体を同時に霧化して入浴枠内に供給すると、健康維持や健康促進にとって非常に有効となる。また、それぞれの液体収容部６Ａ、６Ｂ、６Ｃを個別に駆動可能な構成としておくと、所定の液体のみを霧化して浴槽内に供給可能となり好適である。
【００３３】
さらに、薬効成分を有する霧の中に全身を浸すために、前記霧供給装置７の供給口８を入浴枠３の長さ方向の中間付近の下方に設けて、浴槽４内の底部全体に亘って霧を積層する構成としている。
【００３４】
浴槽４を閉止する構成で、霧を充満させた後で人が入る構成であれば、供給口８の設置場所は特に限定されない。しかし、霧が充満する前に人が浴槽４に入る場合には、供給口８の設置場所は入浴枠３の長さ方向の中間付近の下方が好ましい。
【００３５】
入浴枠３の長さ方向の中間付近の底部付近から霧を噴出する構成であれば、供給口８から噴出される霧が浴槽内の中央部下方からゆっくり両側に向かって拡散されていき底部に貯留されていくので、浴槽４内の底部全体に亘って霧を順次積層していき、長時間貯留しておくことができる。
【００３６】
また、前記入浴枠３を横長として、前記身体支持部２の上に人が仰臥するようにし、前記供給口８を仰臥姿勢の人の腰部付近とする超音波霧風呂装置１とすると、霧が全身に均等に分布することになり、人が仰臥して全身を霧の中に浸して霧浴することができ、全身の体表面から薬効成分を効率よく吸収することができ好適である。
【００３７】
上記したように、本発明に係る超音波霧風呂装置１を用いれば、皮膚から吸収されやすいミクロな霧を安定して貯留した浴槽内に全身を浸すことができるので、人体が長時間薬効成分を吸収することができ、高い薬効を発揮可能な霧浴を行うことができる。
【００３８】
また、全身の皮膚から薬効成分を吸収可能であるので、皮膚疾患に特に有効となる。
【００３９】
さらに、前記身体支持部２を岩盤浴ベッドとすることで、岩盤浴ベッドが発揮する発汗作用や遠赤外線による温熱効果などを相乗的に利用することが可能となる。また、この岩盤浴ベッドを所定温度に加熱する加熱装置を別に設けてもよい。
【００４０】
この岩盤浴ベッドとしては、遠赤外線を放射する天然鉱石を加工してベッドとしたものであればよく、特に限定するものではない。
【００４１】
このように、岩盤浴ベッドに本発明に係る超音波霧風呂装置１を組み合わせることで、発汗作用や温熱効果に加えて、薬効成分を霧状に噴霧可能とする超音波霧風呂装置を構成することができる。さらに、長時間の使用が可能となるのでリラクゼーション効果をも発揮することができる。
【００４２】
また、霧生成装置６に酸素供給装置９を接続する構成とすれば、高濃度の酸素を含有した霧（酸素霧と称することができる）を生成して、効果的な酸素浴が可能となる。この酸素供給装置９を接続する位置は、酸素を供給しても成分が変質しない液体を収容する供給部が好ましい。
【００４３】
また、霧を吸引するので、生体内の治療効果も発揮し、喘息や呼吸器系の疾患に対しても有効となる。
【００４４】
浴槽４は、通常の四角い形状の浴槽でも、円筒形のカプセル状の浴槽でも構わない。また、それぞれの浴槽に、排水口（不図示）を設けていることは明らかである。一旦霧化された液体は、人体に付着したり吸収されたりした残りが液化して水溶液となって、浴槽４の底に溜まる。そのために、一回の風呂（超音波霧風呂）が終了する度に、残った水溶液を排出することが必要となる。
【００４５】
また、複数の液体収容部６Ａ、６Ｂ、６Ｃをそれぞれカセット式としておいて、種類の異なる次の液体に交換容易としておくことが好ましく、この構成であれば、使用する人に応じた薬効成分を選択して供給可能となる。
【００４６】
図２には、上部が円筒形のカプセル状の浴槽を備える超音波霧風呂装置１Ａを示している。また、図３には、円筒形のカプセル状の浴槽に入浴する人の頭部を露出可能とする窓５１を備える超音波霧風呂装置１Ｂを示している。
【００４７】
図２に示す第一の例では、開閉カバー５Ａを閉止すると、仰臥姿勢の人の全身を浴槽内に収容する構成の超音波霧風呂装置１Ａとなって、体と頭を含めた全身を霧の中に浸すことができ、薬効成分の皮膚からの吸収と呼吸での吸収との両方を同時に可能とする超音波霧風呂装置１Ａとなる。
【００４８】
また、図３に示す第二の例では、人の頭部を露出可能とする頭部露出窓５１を備える超音波霧風呂装置１Ｂとなって、人の呼吸には影響を与えずに、長時間の皮膚からの吸収が可能となる。そのために、皮膚疾患に有効な皮膚から吸収されやすい薬効成分を霧化して浴槽４に供給し、長時間入浴することができる。
【００４９】
頭部露出窓５１は開閉カバーもしくは入浴枠のいずれかに設ければよく、例えば図示するように、頭部露出窓５１を備える開閉カバー５Ｂを用いることができる。
【００５０】
開閉カバー５、５Ａ、５Ｂは透明なカバーが好ましい。透明カバーであれば、浴槽４内の霧の状態が目視にて確認可能であると共に、美観にも優れており、健康促進機器としての商品価値も向上する。また、入浴枠３を透明な材質から形成してもよい。
【００５１】
霧の温度は常温でよく、ただ、薬効成分を含む液体を霧化した浴槽内に仰臥して、所定時間入浴するだけで、必要な薬効成分を体内に吸収可能とするものである。また、常温であるので、霧風呂内に長時間仰臥したとしても害とはならずに安全であって、薬効成分を十分吸収できる効果を発揮する。さらに、岩盤浴ベッドを組み合わせたものでは、岩盤浴ベッドが発揮する発汗作用や遠赤外線による温熱効果などを相乗的に利用することができ、より効果的といえる。
【００５２】
上記した超音波霧化装置で薬効成分や有効成分を含む液体を常温で霧化する構成であれば、微小な細かい霧を生成して浴槽内に蓄積しているので、長時間に亘って霧を保存可能となる。つまり、小型で消費電力の小さい装置で、霧を生成し、長時間蓄えておくことができる。
【００５３】
また、水をミクロな霧とするとマイナスイオンを生成することが知られており、各種の液体を霧化する過程でマイナスイオンが浴槽内に供給されていることは明らかである。これらの霧は時間が経てば液化して水溶液となるので、これを残液として排出口から回収することもできる。
【００５４】
上記したように、本発明に係る超音波霧風呂装置によれば、所定の薬効成分を有する複数の液体を同時に霧化して浴槽内の底部に積層させるように供給するので、霧が浴槽内に安定して貯留されることになり、人が浴槽内に仰臥することで、各種の薬効成分やマイナスイオンを体表面からの吸収と呼吸による吸収とを可能にする超音波霧風呂装置を得ることができる。
【００５５】
さらに、霧に香を付けることでアロマテラピーとしての治療効果を発揮し、霧に光をあてることで精神安定効果等のカラーテラピーとしても利用可能となって、大きなリラクゼーション効果を発揮することができる。
【図面の簡単な説明】
【００５６】
【図１】本発明に係る超音波霧風呂装置の概略側面図である。
【図２】本発明に係る超音波霧風呂装置の第一の例を示す斜視図である。
【図３】本発明に係る超音波霧風呂装置の第二の例を示す斜視図である。
【符号の説明】
【００５７】
１  超音波霧風呂装置
２  身体支持部
３  入浴枠
４  浴槽
５  開閉カバー
６  霧生成装置（超音波霧化装置）
７  霧供給装置
９  酸素供給装置
【図１】
2009050646.tif 000003
【図２】
2009050646.tif 000004
【図３】
2009050646.tif 000005